(57)【要約】【課題】着装者から襟飾りの裏面を離間させて、風通しを良くすることを目的とする。【解決手段】開襟状態のシャツの襟元部に形成される開放部より下方における胸側の合わせ部の前面に位置して垂れ下がるようになる主体部と、前記主体部の上端の上方に連接し、シャツの開放部を覆う飾り部を備え、前記飾り部の左右の両端には、外側に向けて張り出す張出部が設けられた襟飾りであって、前記飾り部及び前記主体部の上端部の内部には、芯材となる格子状の骨格が設置され、前記骨格は枠体に複数のリブが網目状に設けられて構成され、裏側が凹状の曲面状に湾曲し、前記飾り部に対応した上部、前記飾り部と前記主体部の連結箇所に対応する中間部、前記主体部の上部に対応する下部の曲面の曲率が違っていることを特徴とする襟飾り。【選択図】  図６
2019035177.tif 000002
【特許請求の範囲】
【請求項１】
開襟状態のシャツの襟元部に形成される開放部より下方における胸側の合わせ部の前面に位置して垂れ下がるようになる主体部と、前記主体部の上端の上方に連接し、シャツの開放部を覆う飾り部を備え、前記飾り部の左右の両端には、外側に向けて張り出す張出部が設けられた襟飾りに用いられ、前記飾り部及び前記主体部の上端部の内部に芯材として設置される骨格であって、前記骨格は枠体に複数のリブが網目状に設けられて構成され、裏側が凹状の曲面状に湾曲し、前記飾り部の上部と張出部に対応した上部、前記飾り部の下端部及び前記飾り部と前記主体部の連結箇所に対応する中間部、前記主体部の上端部に対応する下部の曲面の曲率が異なっていることを特徴とする襟飾り用骨格。
【請求項２】
前記中間部の曲率が最も大きく、前記上部の曲率が最も小さいことを特徴とする請求項１に記載の襟飾り用骨格。
【請求項３】
前記骨格は、側面視で裏側が凹状の曲面状に湾曲していることを特徴とする請求項１又は２に記載の襟飾り用骨格。
【請求項４】
前記骨格には、前記主体部の上端部にえくぼを構成するための、リブを設けない抜き部を設けることを特徴とする請求項１から３のうちいずれか１項に記載の襟飾り用骨格。
【請求項５】
開襟状態のシャツの襟元部に形成される開放部より下方における胸側の合わせ部の前面に位置して垂れ下がるようになる主体部と、前記主体部の上端の上方に連接し、シャツの開放部を覆う飾り部を備え、前記飾り部の左右の両端には、外側に向けて張り出す張出部が設けられた襟飾りであって、前記飾り部及び前記主体部の上端部の内部には、芯材となる格子状の骨格が設置され、前記骨格は枠体に複数のリブが網目状に設けられて構成され、裏側が凹状の曲面状に湾曲し、前記飾り部の上部と張出部に対応した上部、前記飾り部の下端部及び前記飾り部と前記主体部の連結箇所に対応する中間部、前記主体部の上部に対応する下部の曲面の曲率が異なっていることを特徴とする襟飾り。
【請求項６】
前記骨格は、前記中間部の曲率が最も大きく、前記上部の曲率が最も小さいことを特徴とする請求項５に記載の襟飾り。
【請求項７】
前記骨格は、側面視で裏側が凹状の曲面状に湾曲していることを特徴とする請求項５又は６に記載の襟飾り。
【請求項８】
前記骨格には、前記主体部の上端部にえくぼを構成するための、前記リブを設けない抜き部を設けることを特徴とする請求項５から７のうちいずれか１項に記載の襟飾り。
【発明の詳細な説明】
【技術分野】
【０００１】
本発明は、洋服の襟元に着装するネクタイ様の襟飾り及び当該襟飾り用の骨格に関し、詳しくは、シャツの襟元の第１ボタンを第１ボタンホールから外して、シャツの襟元を開襟の状態としたところに、シャツの第１ボタン及び第１ボタンホールを利用して着装するように構成した形態の襟飾り及び当該襟飾り用の骨格に関する。
【背景技術】
【０００２】
シャツの襟元に着装するネクタイ様の襟飾りのうちで、着装したシャツの襟元部の第１ボタンを第１ボタンホールから外して、シャツを開襟の状態としたところに、その外した第１ボタンと第１ボタンホールとを、着装手段として利用して着装するように構成した形態の襟飾りが提案されている（特許文献１、特許文献２）。
【０００３】
又、これらの襟飾りの形状を一定に保ち、型くずれを防止するために、襟飾りの内部に骨格を設置することも提案されている（特許文献１、特許文献２）。
【先行技術文献】
【特許文献】
【０００４】
【特許文献１】実用新案登録第３１９１０６１号公報
【特許文献２】実用新案登録第３２０１７４２号公報
【発明の概要】
【発明が解決しようとする課題】
【０００５】
しかし、特許文献１に記載されている襟飾りの内部に設置される骨格は、上部が僅かに湾曲しているが、襟飾りの形状を一定に保つ効果があるのみであり、特許文献２に記載されている襟飾りの内部に設置される骨格は、前後方向に膨らんでいる構成しか明らかにされていなく、その詳細な構成は不明確であり、襟飾りの形状を一定に保つ効果があるのみであった。
【０００６】
従って、特許文献１及び特許文献２の襟飾りは、着装すると、裏面の全面が、着装者の首や開襟部分と接触して、風通しがよくなく、熱くなるという問題点があった。
【０００７】
又、特許文献１及び特許文献２の襟飾りは、平板状で立体感が乏しいという問題点があった。
【０００８】
そこで、本発明では、着装者から襟飾りの裏面を離間させて、風通しを良くすることを目的とする。又、襟飾りに立体感を与え、より高い美感を備えさせることを目的とする。
【課題を解決するための手段】
【０００９】
上記課題を解決するための手段としての本発明は、開襟状態のシャツの襟元部に形成される開放部より下方における胸側の合わせ部の前面に位置して垂れ下がるようになる主体部と、前記主体部の上端の上方に連接し、シャツの開放部を覆う飾り部を備え、前記飾り部の左右の両端には、外側に向けて張り出す張出部が設けられた襟飾りに用いられ、前記飾り部及び前記主体部の上端部の内部に芯材として設置される骨格であって、前記骨格は枠体に複数のリブが網目状に設けられて構成され、裏側が凹状の曲面状に湾曲し、前記飾り部の上部と張出部に対応した上部、前記飾り部の下端部及び前記飾り部と前記主体部の連結箇所に対応する中間部、前記主体部の上端部に対応する下部の曲面の曲率が異なっていることを特徴とする襟飾り用骨格である。
又、上記襟飾り用骨格において、前記中間部の曲率が最も大きく、前記上部の曲率が最も小さいことを特徴とする襟飾り用骨格である。
【００１０】
又、上記襟飾り用骨格において、側面視で裏側が凹状の曲面状に湾曲していることを特徴とする襟飾り用骨格である。
【００１１】
又、上記襟飾り用骨格において、前記主体部の上端部にえくぼを構成するための、リブを設けない抜き部を設けることを特徴とする襟飾り用骨格である。
【００１２】
又、開襟状態のシャツの襟元部に形成される開放部より下方における胸側の合わせ部の前面に位置して垂れ下がるようになる主体部と、前記主体部の上端の上方に連接し、シャツの開放部を覆う飾り部を備え、前記飾り部の左右の両端には、外側に向けて張り出す張出部が設けられた襟飾りであって、前記飾り部及び前記主体部の上端部の内部には、芯材となる格子状の骨格が設置され、前記骨格は枠体に複数のリブが網目状に設けられて構成され、裏側が凹状の曲面状に湾曲し、前記飾り部の上部と張出部に対応した上部、前記飾り部の下端部及び前記飾り部と前記主体部の連結箇所に対応する中間部、前記主体部の上部に対応する下部の曲面の曲率が異なっていることを特徴とする襟飾りである。
【００１３】
又、上記襟飾りにおいて、前記骨格は、前記中間部の曲率が最も大きく、前記上部の曲率が最も小さいことを特徴とする襟飾りである。
【００１４】
又、上記襟飾りにおいて、前記骨格は、側面視で裏側が凹状の曲面状に湾曲していることを特徴とする襟飾りである。
【００１５】
又、上記襟飾りにおいて、前記骨格には、前記主体部の上端部にえくぼを構成するための、前記リブを設けない抜き部を設けることを特徴とする襟飾りである。
【発明の効果】
【００１６】
以上のような本発明によれば、着装者から襟飾りの裏面を離間させて、風通しを良くすることが出来た。又、襟飾りに立体感を与え、より高い美感を備えさせることが出来た。
【図面の簡単な説明】
【００１７】
【図１】襟飾用の骨格の一実施形態の正面図
【図２】襟飾用の骨格の一実施形態の平面図
【図３】襟飾用の骨格の一実施形態の側面図
【図４】襟飾用の骨格の一実施形態の斜視図
【図５】一実施形態の骨格を用いた襟飾の正面図
【図６】一実施形態の骨格を用いた襟飾の斜視図
【図７】一実施形態の骨格を用いた襟飾の背面図
【図８】一実施形態の骨格を用いた襟飾の使用状態図
【図９】襟飾用の骨格の他実施形態の正面図
【図１０】襟飾用の骨格の他実施形態の斜視図
【図１１】他実施形態の骨格を用いた襟飾の正面図
【図１２】他実施形態の骨格を用いた襟飾の背面図
【図１３】他実施形態の襟飾の使用状態分解図
【発明を実施するための形態】
【００１８】
以下本発明の実施の形態を図を参照して説明する。本発明の襟飾りは、開襟状態のシャツの襟元部に形成される開放部より下方における胸側の合わせ部の前面に位置して垂れ下がるようになる主体部と、前記主体部の上端の上方に連接し、シャツの開放部を覆う飾り部を備え、前記飾り部の左右の両端には、外側に向けて張り出す張出部が設けられた襟飾りである。
【００１９】
襟飾り１は、図８に示すように、シャツ９の襟元部に位置する第１ボタン９１が、第１ボタンホール９２から外されて、襟元部にＶ字形の開放部９５が形成されて開襟された状態（以下、「開襟状態」ともいう。）としたシャツ９に使用する襟飾り１である。
【００２０】
襟飾り１は、開襟状態のシャツ９の襟元部に形成される開放部９５より下方における胸側の合わせ部の前面に位置して垂れ下がるようになる主体部１１と、主体部１１の上端の上方に連接し、シャツ９の開放部９５を覆うと共に、一般的なネクタイを結んだ時の結び目の正面形状と同等な結び目様の飾りを構成する飾り部１２を備え、飾り部１２の左右の両端には、襟飾り１の着装時にシャツ９の立ち代９７に対向するように、外側に向けて張り出す張出部１３、１４が設けられている。
【００２１】
このように、襟飾り１は飾り部１２の下端を主体部１１の上端に連結させて構成している。襟飾り１に用いる生地は特に限定されないが、通常のネクタイ生地を用いて形成することが出来る。
【００２２】
襟飾り１を、開襟状態のシャツ９の襟元部に着装すべく当接したときに、張出部１３、１４の裏面が、シャツ９の立ち代９７の端部に設けられた第１ボタン９１及び第１ボタンホール９２に対向する。図６及び図７に示すように、第１ボタン９１に対向する張出部１３の裏面には、第１ボタン９１を嵌め込むボタンホール１３１が設けられ、第１ボタンホール９２に対向する張出部１４の裏面には、第１ボタンホール９２に挿入する係合ボタン１４１が設けられている。ボタンホール１３１に第１ボタン９１を嵌め込むと共に、係合ボタン１４１を第１ボタンホール９２に挿入させて、係合させることで、襟飾り１をシャツ９の襟元部に着装することが出来る。
【００２３】
尚、ボタンホール１３１を設ける張出部１３の裏面生地の内面側には、図７に示すように、強度の向上のために、補強用の当て布１７を設置し、当て布１７に設ける切欠孔と裏面生地に設ける切欠孔とにより、ボタンホール１３１を構成することが好ましい。
【００２４】
上記の実施の形態では、シャツの第１ボタンを嵌め込むボタンホールとシャツの第１ボタンホールに挿入する係合ボタンが設けられた構成であるが、以下のような構成とすることも出来る。即ち、図１３に示すように、襟飾り１のシャツ９の第１ボタンホール９２に対向する一方の張出部１４には、第１ボタンホール９２と対向する部位にスナップボタン雄型８１が設置されている。一方、スナップボタン雌型８２が係合ボタン８８と重ねられた状態で縫製されて固定されている。このような構成であるので、シャツ９の第１ボタンホール９２に係合ボタン８８を挿入すると、係合ボタン８８に固定されたスナップボタン雌型８２が第１ボタンホール９２に設置された状態となる。
【００２５】
スナップボタン雌型８２は、襟飾り１の着装を行わないときは、襟飾り１の張出部１４に設置したスナップボタン雄型８１に嵌め合わせて襟飾り１に保持させ、襟飾り１を着装するときには、予め、スナップボタン雄型８１から外して襟飾り１から取り外し、外したスナップボタン雌型８１に一体的に閉じ合わせてある係合ボタン８８を第１ボタンホール９２に挿入することにより、シャツ９の第１ボタンホール９２に設置された状態とし、シャツを着た後に、対向する張出部１４に付設されたスナップボタン雄型８１との嵌め合わせにより、張出部１４、ひいては襟飾り１がシャツ９へ固定される。
【００２６】
このような構成とすることで、襟飾り１のボタンをシャツ９の第１ボタンホール９２に挿入する作業が手さぐりで行われることがなくなり、スナップボタンの嵌め合わせでよいので、容易に襟飾り１を着装することが出来る。
【００２７】
又、図示はしないが、シャツの第１ボタンを取り外し、第１ボタンが取り外された位置にスナップボタン雄型又はスナップボタン雌型が縫製により固定され、襟飾りの、シャツのスナップボタン雄型又はスナップボタン雌型に対向する張出部には、ボタンホールに替えて、スナップボタン雌型又はスナップボタン雄型が縫製により固定された構成としてもよい。
【００２８】
この構成によれば、シャツの第１ボタンをシャツから取り外して、そこに、スナップボタン雄型又はスナップボタン雌型を取り付けることから、シャツは、開襟した状態でしか着られないようになるが、襟飾りの着装が簡単な操作で行えるようになる。
【００２９】
図５〜図７に示すように、襟飾り１の飾り部１２及び主体部１１の上端部の内部には、芯材となる格子状の骨格８が組み込まれて設置されている。骨格８は襟飾り１、特に飾り部１２及び主体部１１の上端部を、前後方向に膨らみのある形状、詳しくは平面視で裏側、即ちシャツ９側が凹状の曲面状に湾曲した状態とし、シャツ９と離間させることにより、着用しても熱くなることを防止し、涼しくするための部材である。又、骨格８は襟飾り１、特に飾り部１２及び主体部１１の上端部の形状を維持することが出来る部材である。
【００３０】
骨格８は、図１〜図４に示すように、枠体８１内に複数のリブ８２が縦、横及び斜め方向に網目状に設けられて構成され、襟飾り１の飾り部１２及び主体部１１の上端部の形状に対応させて、図１に示すように、正面視で中間部がくびれて構成されている。骨格８は、図２に示すように、平面視で裏側（図２において上側）、即ちシャツ９側が凹状の曲面状に湾曲した構成であり、襟飾り１の飾り部１２の上部と張出部１３、１４に対応する上部８４、飾り部１２の下端部及び飾り部１２と主体部１１の連結箇所に対応する中間部８５、主体部１１の上端部に対応する下部８６を備えて構成されている。
【００３１】
骨格８は、上部８４が襟飾り１の飾り部１２の上部と張出部１３、１４に対応した形状で、左右に張り出した略逆台形状に構成されると共に、該逆台形の底辺、言い換えれば骨格８の上辺は凹状に構成されている。又、上部８４の上端部にシャツ９側に凹む略逆三角形状の凹部８４１が設けられている。凹部８４１は着用時に人の顎に対応する部分であり、襟飾り１が顎にぶつからないようにするための構成である。
【００３２】
骨格８の中間部８５は飾り部１２の下部飾り部１２と主体部１１の連結箇所に対応した形状で、両側が内側に湾曲して構成されている。下部８６は主体部１１の上部に対応した形状で、台形状に構成されている。そして、平面視で裏側が凹状の曲面状に構成された骨格８は、上部、中間部及び下部の曲率が異なり、中間部８５の曲率が最も大きく、次に下部８６の曲率が大きく、上部８４の曲率が最も小さく構成されている。このように、部分によって曲面の曲率が異なっている。このような形状とすることで、襟飾り１を着装し易くすると共に、開襟状の襟もとに襟飾り１が密着せず、風通しがよりよくなる。又、襟飾り１に立体感を与え、より高い美感を備えさせることが出来る。
【００３３】
又、骨格８は、図３に示すように、上下方向に膨らみのある形状、詳しくは側面視でシャツ９側（図３において右側）が凹状の曲面状に湾曲させて構成されている。このような形状とすることで、開襟状の襟もとに襟飾り１が密着せず、風通しがよりよくなる。又、襟飾り１に立体感を与え、より高い美感を備えさせることが出来る。
【００３４】
骨格８の材質は特に限定されないが、合成樹脂や金属を用いて構成することが出来、特に軽量で、弾性を備えた合成樹脂が好ましい。骨格８の製造方法は特に限定されないが、合成樹脂の場合には、射出成型等により一体成形をし、金属の場合には、金属線材を編み或いは金属板を打ち抜き及びプレス加工等で成形することが出来る。
【００３５】
襟飾り１は、骨格８の表面側と裏面側との両面の全面に生地を被せて骨格８を被覆して襟飾り１を構成する。尚、必要に応じて骨格８の表面又は／及び裏面の適宜の部分又は全部に下地布を張る構成としてもよい。
【００３６】
襟飾り１の製造方法としては、飾り部１２に切れ目を入れて骨格を挿入した後に該切れ目を縫い合わせてもよいが、弾性のある骨格８を用いて、襟飾り１の裏側において、主体部１１と飾り部１２の縫製箇所１９から骨格８を撓めて挿入した後に、縫製箇所１９を縫い合わせることが好ましい。このような方法によれば、製造工程を少なくすることが出来、容易に製造することが可能となる。
【００３７】
又、骨格８には、図９及び図１０に示すように、リブ８２を設けない抜き部９１を設ける構成とすることも出来る。抜き部９１は、図１１に示すように、主体部１１の上端部に対応する位置に設け、主体部１１の上端部にえくぼ６を構成するための構成である。尚、図示はしないが、抜き部９１には抜き部９１から裏側に凹ませて下地布を張る構成としてもよい。
【産業上の利用可能性】
【００３８】
以上のような本発明によれば、衣料の新たな需要を喚起し、衣料業界で利用される。
【符号の説明】
【００３９】
１    襟飾り 
１１  主体部
１２  飾り部
１３  張出部
１４  張出部
８    骨格
８１  枠体
８２  リブ
８４  上部
８５  中間部
８６  下部
９    シャツ
【図１】
2019035177.tif 000003
【図２】
2019035177.tif 000004
【図３】
2019035177.tif 000005
【図４】
2019035177.tif 000006
【図５】
2019035177.tif 000007
【図６】
2019035177.tif 000008
【図７】
2019035177.tif 000009
【図８】
2019035177.tif 000010
【図９】
2019035177.tif 000011
【図１０】
2019035177.tif 000012
【図１１】
2019035177.tif 000013
【図１２】
2019035177.tif 000014
【図１３】
2019035177.tif 000015